(57)【要約】プログラムの連続部分を種々のキーを用いて暗号化し、これをユーザ端末機（Ｔ１，Ｔ２）へ配信するオーディオビジュアルプログラムの暗号化部分の配信方法において、まずユーザ端末機からコールセンタ（４）への電話通信が行われ、続いて暗号化されたプログラムの連続部分の配信に同期して、コールセンタから電話通信中にユーザ端末機へキーが送信される。
2005534239.tif 000002
【特許請求の範囲】
【請求項１】
オーディオヴィジュアルプログラムの連続部分を種々のキーを用いて暗号化し、これをユーザ端末機（Ｔ１，Ｔ２）へ配信する
オーディオヴィジュアルプログラムの暗号化部分の配信方法において、
まずユーザ端末機からコールセンタ（４）への電話通信を行い、
続いて暗号化されたプログラムの連続部分の配信に同期して、コールセンタから電話通信中にユーザ端末機へキーを送信する
ことを特徴とするオーディオヴィジュアルプログラムの暗号化部分の配信方法。
【請求項２】
電話通信にインタネットプロトコルを使用する、請求項１記載の方法。
【請求項３】
同期タイムコードをキーとともにユーザ端末機へ送信する、請求項１または２記載の方法。
【請求項４】
ユーザ端末機との電話通信の完了時に電話通信にかかった時間をコールセンタで求め、ユーザ端末機でのプログラム受信に相応する料金請求を導出する、請求項１から３までのいずれか１項記載の方法。
【請求項５】
コールセンタはテレフォンオペレータの電話呼び出しを受信するセンタである、請求項１から４までのいずれか１項記載の方法。
【請求項６】
連続した種々のキーを用いてプログラムの連続部分を復号化する
オーディオヴィジュアルプログラムの受信機のためのデコーダ（Ｄ１，Ｄ２）において、
電話通信インタフェース（Ｍ１，Ｍ２）を介してコールセンタ（４）へ接続し、続いてプログラムの連続部分の復号化に同期して、コールセンタとの電話通信中に連続キーを回復するように構成されており、
有利には請求項１から５までのいずれか１項記載の方法にしたがって暗号化され配信されたプログラム部分を復号化する
ことを特徴とするオーディオヴィジュアルプログラムの受信機のためのデコーダ。
【請求項７】
コールセンタから送信された同期タイムコードをキーに関連して回復する、請求項６記載のデコーダ。
【請求項８】
通信インタフェースは電話モデムである、請求項６または７記載のデコーダ。
【請求項９】
通信インタフェースはＡＤＳＬモデムである、請求項８記載のデコーダ。
【請求項１０】
通信インタフェースはインタネットプロトコルを使用している、請求項６から９までのいずれか１項記載のデコーダ。
【請求項１１】
プログラムの連続部分を連続した種々のキーを用いて復号化する
オーディオヴィジュアルプログラムの復号化方法において、
電話通信インタフェース（Ｍ１，Ｍ２）を介してコールセンタ（４）へ接続し、
続いてプログラムの連続部分の復号化に同期してコールセンタとの通信中に連続したキーを回復し、
有利には請求項６から１０までのいずれか１項記載のデコーダ（Ｄ１，Ｄ２）を用いて実行される
ことを特徴とするオーディオヴィジュアルプログラムの復号化方法。
【請求項１２】
種々の連続したキーを用いてオーディオヴィジュアルプログラムの連続部分を復号化する
復号化ルーチンにおいて、
所定の電話番号を有するコールセンタ（４）へ電話通信をセットアップし、
プログラムの連続部分の復号化に同期して、電話通信中にコールセンタから得た連続したキーを回復し、
有利には請求項１１記載の方法を実行するように構成されている
ことを特徴とする復号化ルーチン。
【発明の詳細な説明】
【技術分野】
【０００１】
本発明は、オーディオヴィジュアルプログラムの連続部分を種々のキーを用いて暗号化し、これをユーザ端末機へ配信する、オーディオヴィジュアルプログラムの暗号化部分を配信する方法に関する。ユーザ端末機は特にＴＶ受信機のデコーダである。
【０００２】
本明細書では、“オーディオヴィジュアルプログラム”という語はオーディオ、ビデオまたはその双方を含む全てのプログラムを指す。こうしたプログラムは特にＭＰＥＧ４タイプのマルチメディアプログラム、例えば複数のビデオおよび／またはオーディオのシーケンス、３Ｄデータ、２Ｄグラフおよび／または関連するアニメーションスクリプトなどを含む。
【０００３】
暗号化部分を配信する方法は欧州特許第１０７５１０８号明細書から公知である。ここでは１つまたは複数のシード値がユーザ端末機へ選択的に送信され、ユーザ端末機では復号化キーの限定セットをローカルに再構成して、相応に限定された数のプログラムの暗号化部分を復号化できるようにしている。シード値の送信はユーザへの課金主体となっており、その量は復号の規模に依存して変化する。課金は例えばセッションごと、またはサブスクリプションベースで行われる。サブスクリプションベースの課金システムは暗号化プログラムを提供するオーディオヴィジュアルセンタのレベルで設定するには複雑である。またセッションごとの課金システムでは、プログラムの一部のみを利用する場合でも全体としてのユーザのコストが増大してしまう。
【０００４】
また米国特許第４９１６７３７号明細書には、スクランブルされたオーディオヴィジュアルプログラムを放送し、これを受信機デコーダボックスによってデスクランブルする技術が開示されている。さらにボックスとリンクした電話モデムは周期的にオペレータのセントラルコンピュータへ接続し、次の期間に有効な時間的ＩＤコードを受け取る。このコードは連続番号が認識された後、セントラルコンピュータから関連するボックス専用に送信される。新たなコードの周期的な送信は例えば月ごとに行われ、接続は数秒で済むので、電話回線はきわめて短い時間および僅かな周波数帯域しか占有されない。
【０００５】
この技術は所定の期間で見ればどのようなサブスクリプションにも適しているが、やはりサブスクリプションの管理は複雑となる。しかもユーザが実際に視聴したプログラムに適合する手段で簡単に課金を行うことができない。
【０００６】
米国特許第４８９０３２２号明細書には、ＴＶ信号の制御に用いられるアナウンスメントメッセージをプログラムごとに配信するサービスが開示されている。暗号化信号は各加入者のレベルで復号化ユニットにより非専用の電話回線を用いて復号化される。加入者からの注文に応じて、復号化ユニットは自動的に電話回線を介して加入者の要求を配信サービスへ送信し、同じ回線を介して、所望のプログラムを復号化するのに必要な符号化キー情報を受け取る。得られたキー情報は注文のプログラム期間にわたって使用される。例えば、加入者へ送信される復号化キーはメッセージの形式で３秒間反復される。このキーは信号フィルタの係数の固定に用いられる符号化された複数の数値から成る。
【０００７】
この手法ではプログラムごとの課金が可能となるが、精細な課金（例えば１回の放送の所定の部分のみ視聴することなど）は行えず、やはり課金システムの管理は複雑となる。
【０００８】
ユーザ側の制御の精細性を向上させるために、プログラム提供はパートごとの独立の送信することにより行われ、それぞれが専用の要求主体となるようにする。このようにすれば、アベイラビリティに応じて、ユーザは第１夜に映画の第１のパートを視聴してから第２夜に第２のパートを視聴するか否かを決定することができる。ただしこうした手段では送信や課金の管理がさらに複雑になるし、また注文にも手間がかかる。例えば視聴者は場合によっては各パートの時間まで選択しなければならなくなる。
【０００９】
本発明の課題は、オーディオヴィジュアルプログラムの暗号化部分の配信方法を提供し、簡単で精細なサービス課金および著作権侵害に対するセキュリティを可能にすることである。
【００１０】
本発明の方法は、まずユーザ端末機からコールセンタへの電話通信を行い、続いて暗号化されたプログラムの連続部分の配信に同期して、コールセンタから電話通信中にユーザ端末機へキーを送信することを特徴とする。もちろん暗号化されたプログラムの連続部分の配信はケーブル放送、衛星放送、無線放送などによって行うことができる。コールセンタは有利にはテレフォンオペレータの呼び出しを受信するセンタであり、ユーザ端末機の呼び出しごとに電話通信にかかった時間を測定する手段を有し、この情報に基づいて相応のユーザに対して適切な料金請求を行えるところである。
【００１１】
コールセンタとユーザ端末機とのあいだの電話通信がセットアップされると、その時点でのプログラム部分の復号化がユーザ端末機内でローカルに可能となる。ただし電話通信が完了するとユーザ端末機にキーが到着しないので、その時点でのプログラムの暗号化部分はもはや復号化できない。したがってプログラムを平文受信する期間が電話通信の期間に相応し、ユーザはオーディオヴィジュアルサービスを利用する実際の期間に応じて支払いを行うことになる。
【００１２】
本発明の方法は、復号化されたデータを得るのにかかる電話通信の期間をできるだけ短縮しようする従来技術とは全く異なる。逆に、本発明の方法では、電話通信の連続性に基づいてそのあいだずっと暗号化プログラムの配信が行われる。こうした特徴により、ユーザがリアルタイムで決定した期間にわたってオーディオビジュアルプログラムを放送する方式のみでなく、電話料金の課金によって直接にサービスに対する料金を徴収する方式も可能となる。
【００１３】
本発明の方法では、有利には、電話通信にインタネットプロトコルが使用され、同期タイムコードが連続キーに相応に電話通信のあいだユーザ端末機へ送信される。
【００１４】
本発明はさらに種々の連続キーを用いてプログラムの連続部分を復号化するオーディオヴィジュアルプログラムの受信機のためのデコーダにも関する。これは、電話通信インタフェースを介してコールセンタへ接続し、続いてプログラムの連続部分の復号に同期して、コールセンタとの電話通信中に連続キーを回復するように構成されていることを特徴とする。
【００１５】
このデコーダの有利な実施形態では電話通信インタフェースは電話モデムであり、特にはインタネットプロトコルを使用したＡＤＳＬタイプのモデムである。
【００１６】
本発明はさらに、電話通信インタフェースを備えたオーディオヴィジュアルプログラムの受信機のためのデコーダのメモリにロードするのに適した復号化ルーチンに関する。
【００１７】
以下に本発明の方法、デコーダおよびルーチンを図を参照しながら詳細に説明する。図１には有料のオーディオヴィジュアルプログラムを配信するシステムが概略的に示されている。
【００１８】
図１では２つのユーザ端末機Ｔ１，Ｔ２が使用されている（もちろんこれは実施例であって本発明を限定するものではない）。ユーザ端末機Ｔ１，Ｔ２はそれぞれオーディオビジュアルプログラムの受信機Ｒ１，Ｒ２，デコーダＤ１，Ｄ２，電話モデムタイプの通信インタフェースＭ１，Ｍ２を有している。
【００１９】
受信機Ｒ１，Ｒ２はここではＴＶ受信機である。通信インタフェースＭ１，Ｍ２はそれぞれデコーダＤ１，Ｄ２に統合されていてもよく、この場合にはこれらは“セットトップボックス”タイプのデコーダとなる。
【００２０】
各デコーダＤ１，Ｄ２は入力チャネルＣ１，Ｃ２で暗号化されたオーディオビジュアルプログラムの連続部分を受信することができる。このプログラム部分はディジタルフレームである。
【００２１】
プログラムの暗号化部分はユーザ端末機Ｔ１，Ｔ２へＲＦチャネル１を介して放送アンテナ２から配信される。放送アンテナ２はオーディオビジュアルプログラムを提供するオーディオビジュアルセンタ３へリンクされている。オーディオビジュアルセンタ３ではプログラムの連続部分は種々の連続暗号化キーを用いて暗号化されており、著作権侵害の可能性を制限する。プログラムの連続部分を暗号化するのに用いられる暗号化キーはｎ個の連続部分の各シーケンスの終了時に変更される。例えばｎの値を調整して、画面のプログラムを３０秒視聴するごとに異なる暗号化キーを要するようにするのである。
【００２２】
ディジタルオーディオビジュアルストリームのタイムコード、すなわちＭＰＥＧ２−ＴＳストリーム内のＤＴＳ（デコーディングタイムスタンプ）、ＰＴＳ（プレゼンテーションタイムスタンプ）およびＰＣＲ（プログラムクロックリファレンス）などを使用することが知られている。これらのタイムコードはプログラムの暗号化部分へ挿入され、これによりデコーダＤ１，Ｄ２をオーディオビジュアルプログラムの送信機のクロックで同期することができるようになる。
【００２３】
本発明の別の実施例では、ＤＴＳタイプのタイムコードがオーディオビジュアルセンタ３での暗号化中に種々の暗号化キーに関連づけられる。この関連づけは、デコーダでプログラムの一部を復号化しているあいだ、当該のプログラムの他の部分に対する復号化キーに関連したタイムコードが回復されたタイムコードＤＴＳに同期していない場合、その部分の復号化を防止するために用いられる。
【００２４】
図中の参照記号４はオーディオビジュアルセンタ３から連続した暗号化キーを受け取る電話コールセンタを表している。この電話コールセンタは、アンテナ２を介したプログラムの連続部分の放送に同期して、つまりユーザ端末機Ｔ１，Ｔ２によるプログラムの連続部分の受信に同期して、暗号化キーを受け取る。
【００２５】
プログラムをユーザ端末機Ｔ１，Ｔ２の受信機Ｒ１，Ｒ２のレベルで平文として表示するために、ユーザは自身のデコーダＤ１，Ｄ２を例えば手動操作部Ｆ１，Ｆ２またはリモートコントロール部を介して操作し、モデムタイプの通信インタフェースＭ１，Ｍ２によりコールセンタ４との電話通信を開始する。コールセンタの電話番号はデコーダ内に予め記録されており、電話通信の開始を自動で行えるようになっている。電話通信のあいだ、デコーダＤ１，Ｄ２はコールセンタ４によってＩＤ識別され、その後、コールセンタ４は電話通信路を介してユーザ端末機Ｔ１，Ｔ２へその時点での連続キーを送信する。これはデコーダＤ１，Ｄ２で並列に受信されるその時点のプログラム部分の復号化に用いられる。続いてそれぞれタイムコードに関連したキーがコールセンタ４から送信されるが、これはアンテナ２からのプログラム部分の放送に同期して行われる。図中“ｘ，ｙ，ｚ，．．．”は連続した復号化キーを表しており、“ｔ１，ｔ２，ｔ３，．．．”は復号化キーに関連したタイムコードを表している。
【００２６】
デコーダＤ１，Ｄ２内に復号化プロシージャが編成されている。すなわち連続したキーが関連するタイムコードとともに通信インタフェースを経由して回復され、デコーダによって受信されたプログラムの暗号化部分に配置されたＤＴＳタイムコードと比較される。別の言い方をすれば、キーの回復と同時に受信されたプログラム部分がタイムコードｔ１に先行するＤＴＳタイムコードを有する場合には、タイムコードｔ１に関連したキーは拒否される。したがってこのプログラムはこのデコーダでは復号化されない。
【００２７】
実際には、連続キーは相応のタイムコードとともにユーザ端末機において相応のプログラム部分に僅かに先行して回復されるので、デコーダでその時点のプログラム部分を受信しているあいだは復号が可能なようにキーをしばらく記憶しておかなければならない。キーおよびタイムコードｔ１がデコーダによって回復され、その時点のプログラム部分のＤＴＳタイムコードがキーに関連するタイムコードｔ１に先行する場合、このキーはデコーダのバッファメモリに記憶される。逆の場合にはキーは拒否され、デコーダのバッファメモリには記憶されない。その時点のプログラム部分を復号化しているあいだ、復号化に必要なキーはデコーダのバッファメモリ内に存在していなければならない。
【００２８】
上述の復号化プロシージャはルーチンとして電話通信インタフェースを備えた従来のプログラマブルデコーダのメモリにロードされる。
【００２９】
通信インタフェースは有利にはＡＤＳＬタイプのモデムであり、これは有利には同じ電話回線で複数の通信を行えるインタネットプロトコルを利用したものである。
【図面の簡単な説明】
【００３０】
【図１】有料のオーディオヴィジュアルプログラムを配信するシステムを示す図である。
2005534239.tif 000003
【国際調査報告】
2005534239.tif 000004
2005534239.tif 000005
2005534239.tif 000006
2005534239.tif 000007
2005534239.tif 000008
2005534239.tif 000009